(57)【要約】      （修正有）【課題】非接触ＩＣタグを利用して体内の物体を検知、特定して管理することができる体内物体管理システムを提供する。【解決手段】飲食物を含む全ての物体に取りつけられ、物体の識別情報が記憶された記憶手段を有する非接触ＩＣタグと、非接触ＩＣタグの記憶手段に記憶された物体の識別情報を読み取るアンテナと、非接触ＩＣタグの記憶手段に記憶された物体の識別情報を管理サーバに送信する機能と管理サーバから送信された情報を受信する機能を備えた通信端末と、通信端末から受信した非接触ＩＣタグの記憶手段に記憶された物体の識別情報に基づいて体内にて検出された物体の物体情報を管理する管理サーバからなり、非接触ＩＣタグの記憶手段に記憶された物体の識別情報と物体情報データベースとを照合し、照合手段により特定された体内に存在する物体が体内に存在することについて適切または不適切であることを判定した場合に通知を行う通知手段とを有する。【選択図】図１
2005304880.tif 000002
【特許請求の範囲】
【請求項１】
体内に取り込んでも無害であり、飲食物を含む全ての物体に取りつけられ、物体の識別情報が記憶された記憶手段を有する非接触ＩＣタグと、前記非接触ＩＣタグの記憶手段に記憶された物体の識別情報を読み取るアンテナと、前記非接触ＩＣタグの記憶手段に記憶された物体の識別情報を管理サーバに送信する機能と前記管理サーバから送信された情報を受信する機能を備えた通信端末と、前記通信端末から受信した前記非接触ＩＣタグの記憶手段に記憶された物体の識別情報に基づいて体内にて検出された物体の物体情報を管理する管理サーバからなり、前記管理サーバには、飲食物を含む全ての物体の物体情報を有する物体情報データベースと、前記アンテナで読み取った前記非接触ＩＣタグの記憶手段に記憶された物体の識別情報と飲食物を含む全ての物体の情報を有する前記物体情報データベースとを照合し、前記物体の識別情報から前記物体の物体情報を特定する照合手段と、前記照合手段により特定された体内に存在する該物体が体内に存在することについて適切または不適切であることを判定するための情報を有する適合判定データベースと、前記照合手段により特定された体内に存在する該物体が体内に存在することについて適切または不適切であることを前記適合判定データベースに基づいて判定する判定手段と、前記判定手段により特定された体内に存在する該物質が不適切であると判定した場合に通知を行う通知手段と、体内に存在する物体を管理する体内物体管理データを有することを特徴とする非接触ＩＣタグを利用した体内物体管理システム。
【発明の詳細な説明】
【技術分野】
【０００１】
本発明は、非接触ＩＣタグを利用して体内の物体を検知、特定して管理することができる体内物体管理システムに関する。
【背景技術】
【０００２】
従来、体内に取り込まれた飲食物及び誤飲物及び挿入物などの体内物体を検知して識別するには、医学的に正当な手段を用いて測定して特定する必要がある。例えば一旦体内に取りこまれた飲食物や、薬品の名称、分量、取り込まれた時間などを検出、特定するためは排泄物の検査や血液検査などを行う必要がある。また体内に取り込まれた誤飲物や挿入物などの検出、特定にはエックス線ＣＴスキャン装置などによる検査を行う必要がある。
【０００３】
【特許文献１】特開２００３−６３５３５
【特許文献２】特開２００２−２０７８２６
【特許文献３】特開２００３−３１０６１１
【発明の開示】
【発明が解決しようとする課題】
【０００４】
しかしながら、例えば不用意に体内に取り込まれた飲食物及び誤飲物及び挿入物などの体内物体により、生命に甚大な影響を及ぼすことが考えられる場合、体内に取りこまれた体内物体の種類、体内に取り込まれた時間、分量などを正確に検出、特定し、適切な処置を施すための情報として迅速に入手する必要がある。
【０００５】
そこで本発明は、あらかじめ飲食物及び誤飲物及び挿入物などの体内物体に取りつけられているなど備えつけられている、個々の物体を識別することが出来る識別情報を有する非接触ＩＣタグの識別情報を読み取ることで、体内に取り込まれた飲食物及び誤飲物及び挿入物などの体内物体の種類、体内取り込まれた時間、分量をなどを正確に、検知、特定して管理することができ、必要に応じて医療機関や救急機関に通報する体内物体管理システムを提供する。
【課題を解決するための手段】
【０００６】
本発明は、前記目的を達成するために、体内に取り込んでも無害であり、飲食物を含む全ての物体に取りつけられ、物体の識別情報が記憶された記憶手段を有する非接触ＩＣタグと、前記非接触ＩＣタグの記憶手段に記憶された物体の識別情報を読み取るアンテナと、前記非接触ＩＣタグの記憶手段に記憶された物体の識別情報を管理サーバに送信する機能と前記管理サーバから送信された情報を受信する機能を備えた通信端末と、前記通信端末から受信した前記非接触ＩＣタグの記憶手段に記憶された物体の識別情報に基づいて体内にて検出された物体の物体情報を管理する管理サーバからなり、前記管理サーバには、飲食物を含む全ての物体の物体情報を有する物体情報データベースと、前記アンテナで読み取った前記非接触ＩＣタグの記憶手段に記憶された物体の識別情報と飲食物を含む全ての物体の情報を有する前記物体情報データベースとを照合し、前記物体の識別情報から前記物体の物体情報を特定する照合手段と、前記照合手段により特定された体内に存在する該物体が体内に存在することについて適切または不適切であることを判定するための情報を有する適合判定データベースと、前記照合手段により特定された体内に存在する該物体が体内に存在することについて適切または不適切であることを前記適合判定データベースに基づいて判定する判定手段と、前記判定手段により特定された体内に存在する該物質が不適切であると判定した場合に通知を行う通知手段と、体内に存在する物体を管理する体内物体管理データを有することを特徴とする。
【発明の効果】
【０００７】
本発明は、非接触ＩＣタグを利用して体内に取り込まれた飲食物及び誤飲物及び挿入物などの体内物体の種類、体内に取り込まれた時間、分量などを検知、特定して管理することができ、必要に応じて医療機関や救急機関に通報ことができるので、例えば不用意に体内に取り込まれ、該物体が生命に甚大な影響を及ぼすことが考えられる場合など、体内に取りこまれた物体について適切な処置を施すための情報として迅速に入手することができるという効果がある。
【発明を実施するための最良の形態】
【０００８】
以下、図１から図８参照してこの実態の形態に係る非接触ＩＣタグを利用した体内物体管理システムについて詳細を説明する。図１は本発明の実態の形態に関わる非接触ＩＣタグを利用した体内物体管理システムの構成図、図２は本発明の実態の形態に関わる非接触ＩＣタグを利用した体内物体管理システムのシステムブロック図、図３はコーティングされた非接触ＩＣタグの平面図、図４は図３のＡ―Ａ線断面図、図５は非接触ＩＣタグのシステムブロック図、図８は非接触ＩＣタグを利用した体内物体管理システムの処理手順を説明するフローチャート図、図６は本発明の実施例に関わる薬品に備えつけられた非接触ＩＣタグのイメージ図、図７は図６のＢ―Ｂ線断面図である。
【０００９】
図１を参照して、本発明の非接触ＩＣタグを利用した体内物体管理システムの概要を説明する。飲食物を含む全ての物体には、物体の識別情報が記憶された記憶手段を有する非接触ＩＣタグ１０が取り付けられているなど備えられており、この非接触ＩＣタグ１０に記憶された物体の識別情報を読み取ることで、物体を特定して物体の物体情報を入手することができる。また、図３及び図４に示すように、非接触ＩＣタグ１０は体内に取り込んでも無害であり、体液により破壊されることがないコーティング剤１２によりコーティングされており、また非接触ＩＣタグ１０は図５に示すように、基材内に電源用受信及びデータ送受信用アンテナ１３と制御手段１４と記憶手段１５を有している。
【００１０】
また、図１に示すように、利用者１１が携帯または設置した通信端末２１は、インターネットなどのネットワーク３０を介して、管理センター４に設置されている管理サーバ４０と通信可能に接続されている。更に、前記ネットワーク３０には、このネットワークを介して医療機関５や救急機関６や携帯端末７が接続されている。
【００１１】
利用者１１が携帯または設置した通信端末２１には、物体に備えられている非接触ＩＣタグ１０との間で非接触で通信を可能とするためのアンテナ２０が備えられている。
【００１２】
図２に示すシステムブロック図に基づいて、これらのシステム構成を詳細に説明する。利用者が携帯または設置した通信端末２１は、制御手段２２、通信手段２３、表示手段２４、入力手段２５を有し、アンテナ２０で受信した物体の識別情報を通信手段２３により管理センター４の管理サーバ４０へ送信可能にしてある。
【００１３】
また、管理センター４に設置されている管理サーバ４０は、物体情報データベース４１と、適合判別データベース４２と、体内物体管理データ４３、制御手段４４と、照合手段４５と、通知手段４６と、通信手段４７と、判定手段４８と、記憶手段４９、表示手段５０、入力手段５１を有する。
【００１４】
物体情報データベースには、全ての物体を識別するための識別コード、物体種別、物体名称、製造会社、材料、成分、分量、製造年月日、消費期限などの物体情報が登録されており、アンテナ２０により物体に備えられた非接触ＩＣタグ１０から読み取った物体の識別情報を読み取る毎に、インターネットなどのネットワーク３０を介して該物体の識別情報が送信され、照合手段４５により該物体の識別情報と物体情報データベースが有する物体情報とを照合し、該物体の識別情報から物体情報データベースが有する物体情報を特定できるようにしてある。また前記照合手段４５により識別された物体情報は利用者を識別する情報および該物体の識別情報を検出した時間と共に体内物体管理データ４３に登録される。
【００１５】
また、適合判別データベース４２には、利用者ごとに利用者１１の体内に存在することが適している物体の名称、分量、頻度などや、不適切な物体の名称などの情報が登録されている。前記利用者１１の体内の中に検出された物体が、体内に存在することが不適切な物質の場合と、体内に存在することは適しているが分量や頻度などが不適切な場合などに、医療機関５や救急機関６や携帯端末７や通信端末２１などに通知を行う通知手段４６を有する。
【実施例１】
【００１６】
本発明の実地例１の説明において、利用者１１が誤った種類の薬品を服用した場合を一例として図８のフローチャートを基に説明する。各薬品には、薬品を識別する識別情報が記憶された記憶手段を有する非接触ＩＣタグ１０が混入されているなど備えられており、利用者１１が薬品を服用した場合も、この非接触ＩＣタグ１０に記憶された薬品の識別情報を読み取ることで、利用者１１が服用した薬品を特定して薬品の情報を入手することができる。また非接触ＩＣタグ１０は体内に取り込んでも無害であり、体液により破壊されることがないコーティング剤１２によりコーティングされている。前記薬品に備えられた非接触ＩＣタグ１０の一例として、カプセル状の薬品に非接触ＩＣタグ１０が備えられた場合のイメージ図を図６に、図６の断面図を図７に示す。カプセル状の薬品には薬品を入れるためのカプセル１６の中に薬品１７と薬品を識別する識別情報が記憶された記憶手段を有する非接触ＩＣタグ１０を備えてある。
【００１７】
まず利用者１１が前記非接触タグ１０が備えられた薬品を服用する。この時、口内、咽喉周り、胸部周り、腹部周りなどにあらかじめ備えられているアンテナ２０により、体内に取り込まれた前記非接触ＩＣタグ１０の識別情報を読み取る（Ｓ１）。
【００１８】
次に、前記アンテナ２０により読み取った前記非接触タグ１０の識別情報及び利用者１１を識別する情報を、管理センター４の管理サーバ４０へ送信し、読み取った薬品の識別情報と物体情報データベース４１とを照合することにより、前記読み取った薬品の薬品名称、製造会社、材料、成分、分量、製造年月日、消費期限などの情報を特定し（Ｓ２）、薬品が検出された時間と共に、前記薬品情報を体内情報管理データ４３に登録する（Ｓ３）。
【００１９】
またあらかじめ適合判別データベース４２には、利用者１１が服用許可された薬品名称、成分及び分量、服用頻度など、また利用者１１が服用してはならない薬品名称、成分、また利用者１１が服用許可されている薬品を必要量または必要頻度以上服用した場合に医療機関や救急機関や携帯端末などに通知が必要か否か、また服用許可されていない薬品を服用した場合に、医療機関や救急機関や携帯端末などに通知が必要か否かなどを登録する。
【００２０】
次に、適合判別データベース４２に基づいて、前記体内より検出され体内情報管理データに登録された薬品が、利用者１１が服用許可されていない薬品ではないか、服用許可されている薬品であっても必要量または必要頻度以上服用していないかを判別し、利用者１１が服用許可されていない薬品または、服用許可されている薬品であっても必要量または必要頻度以上服用していた場合で、医療機関や救急機関や携帯端末などに通知が必要である場合に、医療機関や救急機関や携帯端末などに通知する必要があるかを判定手段４８により判定する（Ｓ４）。
【００２１】
次に前記判定４８により、医療機関や救急機関や携帯端末などに通知する必要があると判定された場合、医療機関や救急機関や携帯端末などに対して適切な処置を施すための情報として通知することができる（Ｓ５）。
【図面の簡単な説明】
【００２２】
【図１】本発明の実態の形態に関わる非接触ＩＣタグを利用した体内物体管理システムの構成図である。
【図２】本発明の実態の形態に関わる非接触ＩＣタグを利用した体内物体管理システムのシステムブロック図である。
【図３】本発明のコーティングされた非接触ＩＣタグの平面図である。
【図４】図３のＡ―Ａ線断面図である。
【図５】非接触ＩＣタグのシステムブロック図である。
【図６】本発明の実施例に関わる薬品に備えつけられた非接触ＩＣタグのイメージ図である。
【図７】図７のＢ―Ｂ線断面図である。
【図８】本発明の実態の形態に関わる非接触ＩＣタグを利用した体内物体管理システムの処理手順を説明するフローチャート図である。
【符号の説明】
【００２３】
１  非接触ＩＣタグを利用した体内物体管理システム  
４  管理センター
５  医療機関
６  救急機関
７  携帯端末
１０  非接触ＩＣタグ
１１  利用者
１２  コーティング剤
１３  電源用受信及びデータ送信用アンテナ
１４、２２、４４  制御手段
１５、４８  記憶手段
１６  カプセル
１７  薬品
２０  アンテナ
２１   通信端末
２３、４７  通信手段
２４、５０  表示手段
２５、５１  入力手段
３０  インターネット
４０  管理サーバ
４１  物体情報データベース
４２  適合判断データベース
４３  体内物体管理データ
４５  照合手段
４６  通知手段
４８  判定手段
４９  記憶手段
【図１】
2005304880.tif 000003
【図２】
2005304880.tif 000004
【図３】
2005304880.tif 000005
【図４】
2005304880.tif 000006
【図５】
2005304880.tif 000007
【図６】
2005304880.tif 000008
【図７】
2005304880.tif 000009
【図８】
2005304880.tif 000010